(57)【要約】    【課題】  部屋の広さに対して天井の高さが相対的に低い広い部屋において、省コストで適正な温度分布を実現する。    【解決手段】  両端部において互いに連通しかつ互いに並列する少なくとも通路２２、２３が形成される冷蔵庫１を冷やすための空調システムにおいて、ユニットクーラ１１で調整された冷気を通路２３に吹き出すための吹き出し口９と、吹き出し口９に対応して設けられ、通路２２の空気を吸い込んで冷蔵庫１から排出するための吸い込み口１０と、通路２２、２３の天井に設けられる複数の気流形成装置２６と設ける。気流形成装置２６には、気流形成装置２６が設けられている通路の空気を吸い込み、吸い込んだ空気を通路に所定の方向に向けて吹き出す装置を用いる。気流形成装置２６は、通路２３における気流の向きと通路２２における気流の向きとが反対方向となるように各通路に設けられる。【選択図】    図７
2007017130.tif 000002
【特許請求の範囲】
【請求項１】
天井及び一対の壁を少なくとも有する部屋の空調ゾーンであって、前記一対の壁の対向方向に沿って、かつ前記天井及び一対の壁のそれぞれに対して離間して設けられる仕切りと、前記仕切りによって形成され、両端部において互いに連通しかつ互いに並列する第一から第ｎ（ただしｎ≧２）の複数の通気路とを含む空調ゾーンを冷やすための空調システムにおいて、
前記空調ゾーンに供給される冷気を調整するための空調機と、
前記空調機で調整された冷気を前記第一の通気路に吹き出すための吹き出し口と、
前記吹き出し口に対応して設けられ、第ｎの通気路に形成された気流の空気を吸い込んで前記空調ゾーンから排出するための吸い込み口と、
前記第一から第ｎの通気路の少なくともいずれかに設けられ、第一から第ｎの通気路のそれぞれに所定の気流進行方向の気流を形成するための気流形成装置と、を有し、
前記気流形成装置は、気流形成装置が設けられている通気路の空気を吸い込み、吸い込んだ空気を前記通気路に所定の方向に向けて吹き出す装置であり、
前記気流進行方向は、前記一対の壁の対向方向であって、第ｎ−１の通気路における気流の向きと第ｎの通気路における気流の向きとが反対になる方向であることを特徴とする空調システム。
【請求項２】
前記吸い込み口は、前記第ｎの通気路に形成された気流の空気を吸い込んで前記空調機に戻すための吸い込み口であることを特徴とする請求項１記載の空調システム。
【請求項３】
前記一対の壁の一方の壁に設けられる複数の前記吹き出し口と前記吸い込み口とを有することを特徴とする請求項１又は２に記載の空調システム。
【請求項４】
前記吹き出し口は、前記仕切りの頂部以上の高さの位置に設けられていることを特徴とする請求項１から３のいずれか一項に記載の空調システム。
【請求項５】
前記空調機は、前記空調ゾーンの熱負荷の多少に応じて冷気の吹き出し量を増減させる装置であることを特徴とする請求項１から４のいずれか一項に記載の空調システム。
【発明の詳細な説明】
【技術分野】
【０００１】
本発明は、部屋を冷やすための空調システムに関する。本発明は、特に、大空間、その中でも高さ方向に高い大空間（アトリウム等）を除く、部屋の広さに対して天井の高さが相対的に低い倉庫等の広い空間を冷やすのに好適な空調システムに関する。
【背景技術】
【０００２】
食品等の製品を収容する冷蔵倉庫には広い部屋が用いられる。このような部屋の天井の高さは、部屋の平面的な広さ、及び製品の収容量や作業性等の条件によって決められるが、通常は冷気の供給量を抑制する観点から低く設定される。すなわち、このような部屋は、部屋の広さに対して天井の高さが相対的に低い広い空間を形成している。前記冷蔵倉庫では、通常は倉庫内に製品が列状に積み重ねられる。この製品が積み重ねられた列は、通常は並列に配置される。
【０００３】
前記の天井の高さが相対的に低い広い部屋において適正な温度分布を得るための空調システムとしては、従来より、調整空気を十分な風量で多数の吹き出し口から吹き出すシステムが知られている。
【０００４】
このような空調システムとしては、例えば、部屋において対向する一対の壁の両方に設けられる複数の調整空気の吹き出し口と、これらの吹き出し口に調整空気（例えば冷気）を供給するための空調機と、それぞれの前記吹き出し口に対向し、ただし吹き出し口とは設置高さをずらして前記一対の壁の両方に設けられ、部屋の空気を吸い込んで空調機に供給するための複数の吸い込み口とを有する空調システムが挙げられる。前記空調システムは、前記冷蔵倉庫では製品の列に沿って製品の列の両側から調整空気が吹き出すように通常は設けられる。
【０００５】
この空調システムは、部屋の温度分布を適正に維持することができるが、部屋の熱負荷が小さい場合にも、部屋の温度分布を適正に維持するために調整空気の吹き出し風量が一定に維持される。また、通常は部屋の両側に空調機が設けられる。このため、イニシャルコスト及びランニングコストが大きく、少なくともコストの観点から改良の余地が残されている。
【０００６】
一方で、天井の高さが相対的に低い部屋を含む広い部屋の空調システムとしては、部屋の天井に複数の送風ユニットを設けるシステムが知られている。前記送風ユニットには、部屋の空気を吸い込むための吸い込み口と、送風機と、吸い込まれた空気を同じ部屋に所定の向きに向けて吹き出すための吹き出し口とを有する装置が用いられる（例えば、特許文献１〜４参照。）。
【０００７】
この空調システムでは、前記送風ユニットを適当に配置することにより、部屋の換気や温度差の解消を実現する観点から有用である。この空調システムでは、種々の形状の気流を形成することができるが、部屋に形成される気流の形状とそれによってもたらされる部屋の空調の効率の向上への影響とについては、なお検討の余地が残されている。
【特許文献１】特許第３３３９５２７号公報
【特許文献２】特開平８−２１６４６号公報
【特許文献３】特公昭６０−５８３７３号公報
【特許文献４】特開昭５４−６６５４２号公報
【発明の開示】
【発明が解決しようとする課題】
【０００８】
本発明は、部屋の広さに対して天井の高さが相対的に低い広い部屋において、省コストで適正な温度分布を実現することを課題とする。
【課題を解決するための手段】
【０００９】
本発明では、部屋に並列に形成される複数の通気路のうちのある通気路に吹き出された調整空気を通気路の端部において隣の通気路に導き、循環又は蛇行する形状の気流を、気流形成装置を用いて形成する。その際、同一通気路中での対向流や対流を生じさせず、通気路中の空気がいずれの高さにおいても水平方向における一方向に流れる気流を形成する。
【００１０】
すなわち本発明は、天井及び一対の壁を少なくとも有する部屋の空調ゾーンであって、前記一対の壁の対向方向に沿って、かつ前記天井及び一対の壁のそれぞれに対して離間して設けられる仕切りと、前記仕切りによって形成され、両端部において互いに連通しかつ互いに並列する第一から第ｎ（ただしｎ≧２）の複数の通気路とを含む空調ゾーンを冷やすための空調システムにおいて、前記空調ゾーンに供給される冷気を調整するための空調機と、前記空調機で調整された冷気を前記第一の通気路に吹き出すための吹き出し口と、前記吹き出し口に対応して設けられ、第ｎの通気路に形成された気流の空気を吸い込んで前記空調ゾーンから排出するための吸い込み口と、前記第一から第ｎの通気路の少なくともいずれかに設けられ、第一から第ｎの通気路のそれぞれに所定の気流進行方向の気流を形成するための気流形成装置と、を有し、前記気流形成装置は、気流形成装置が設けられている通気路の空気を吸い込み、吸い込んだ空気を前記通気路に所定の方向に向けて吹き出す装置であり、前記気流進行方向は、前記一対の壁の対向方向であって、第ｎ−１の通気路における気流の向きと第ｎの通気路における気流の向きとが反対になる方向である空調システムである。
【００１１】
前記構成によれば、前記気流形成装置が通気路中の空気を吸い込んで吹き出すことから、第一から第ｎの各通気路において、水平方向における一方向に流れる気流が形成される。また、前記構成によれば、第ｎ−１の通気路における気流の向きと第ｎの通気路における気流の向きとが互いに反対方向になるように気流形成装置が設けられることから、第一から第ｎの一連の通気路を循環又は蛇行する形状の気流が形成される。
【００１２】
本発明では、前記吸い込み口は、前記第ｎ−１の通気路に形成された気流の空気を吸い込んで前記空調機に戻すための吸い込み口であっても良い。この構成によれば、空調ゾーンの冷却に用いられた冷気が空調ゾーンの冷却に再利用される。
【００１３】
本発明は、前記一対の壁の一方の壁に設けられる複数の前記吹き出し口と前記吸い込み口とを有していても良い。この構成によれば、空調ゾーンに供給するための冷気を調整する前記空調機が部屋の一方の壁側にのみ設けられる。
【００１４】
また、本発明では、前記吹き出し口は、前記仕切りの頂部以上の高さの位置に設けられてあっても良い。この構成によれば、仕切り全体も適正な温度分布の領域の中に含まれる。
【００１５】
また、本発明では、前記空調機は、前記空調ゾーンの熱負荷の多少に応じて冷気の吹き出し量を増減させる装置であっても良い。この構成によれば、空調ゾーンの熱負荷が少ないときに空調機による冷気の吹き出し量が削減される。
【００１６】
前記部屋は、天井及び対向する一対の壁を少なくとも有する。前記部屋は、冷気の供給によって冷やされる構造の部屋であり、後述する空調ゾーンが形成されたときに、一つの
吹き出し口からの冷気の気流を、後述する気流形成装置を用いて、水平方向に流れる気流として少なくとも一往復させることができる部屋であれば特に限定されない。このような部屋としては、具体的には、天井の高さが３〜１０ｍ程度であり、天井の高さと奥行きとが１：５（又はそれ以上）であり、また、前記一対の壁の対向方向と垂直な水平方向における部屋の長さを幅としたときに、奥行き及び幅が３０ｍ以上である部屋が挙げられる。このような部屋の大きさは、例えば、パソコン用に汎用されている三次元熱流体解析ソフトを利用して、適当な設定値の入力して結果を解析することにより求めることが可能である。
【００１７】
前記部屋には、仕切りと、この仕切りによって形成される、並列する第一から第ｎの通気路とを含む空調ゾーンが形成される。前記空調ゾーンは、前記仕切りと前記第一から第ｎの通気路とを含む空間であれば特に限定されない。前記空調ゾーンは、部屋全体であっても良いし、前記仕切りと前記の複数の通気路とが含まれる空間であっても良い。例えば、部屋の壁に吹き出し口や吸い込み口を設ける場合は、前記空調ゾーンは部屋全体としても良いし、また仕切りと複数の通気路との周辺の空間としても良い。また部屋の中に空調機を設ける場合では、前記空調ゾーンは、前記空調機を除く、前記仕切りと前記の複数の通気路とを含む空間とすることができる。
【００１８】
前記仕切りは、前記一対の壁の対向方向、すなわち奥行き方向に沿って、かつ天井及び一対の壁のそれぞれに対して離間して設けられる。前記仕切りの設置数は特に限定されないが、複数である場合は互いに並列して設けられることが好ましい。前記仕切りには、例えば製品を積み上げてなる列状の山、棚、及び仕切り板等が挙げられる。
【００１９】
前記通気路は、前記一対の壁の対向方向に沿って前記部屋に並列に形成される通気路である。前記仕切りが前記壁のそれぞれに対して離間していることから、各通気路は両端部において隣接する通気路と互いに連通している。形成される通気路の数は、部屋の幅、仕切りの大きさ、及び仕切りの数等の条件に応じて決められる。
【００２０】
本発明では、第一から第ｎの通気路が形成される。前記ｎは２以上の整数であれば特に限定されない。
【００２１】
前記空調機は、前記空調ゾーンに供給される冷気を調整する装置である。前記空調機には、冷気（例えば−２０〜２０℃）を調整することができる公知の空調機を用いることができる。前記空調機は、冷気を吹き出すためのユニットと、冷気を調整するための冷熱を生成するためのユニットとから構成することができ、またこれらのユニットと空調ゾーンから空気を吸い込むためのユニットとから構成することができる。これらのようなユニットから構成される空調機については、前記部屋に対しては、前記空調機として、前記の冷気を吹き出すためのユニットのみを、又は冷気を吹き出すためのユニットと空調ゾーンから空気を吸い込むためのユニットとを設けても良い。
【００２２】
前記空調機は、部屋の内部に設けられていても良いし、部屋の外部に設けられていても良い。前記空調機を部屋の外部に設けることは、部屋の空間を有効に活用する観点から好ましい。前記空調機を部屋の内部に設けることは、空調ゾーンの形状や設定温度の多様化に対応する観点から好ましい。前記空調機の設置数は特に限定されず、例えば前記空調ゾーンの用途や規模に応じて決められる。前記空調機を複数設ける場合では、前記空調機で調整される冷気の温度は、それぞれの空調機において同じであっても良いし異なっていても良い。前記空調機で調整される冷気の温度は、前記空調ゾーンの設定温度、空調機の設置数、及び空調ゾーンの広さ等の条件に応じて決められる。
【００２３】
前記空調機は、前記空調ゾーンの熱負荷の多少に応じて冷気の吹き出し量を増減させる
装置であることが、空調機の冷気の吹き出しに係る省力化を実現し、適正な温度分布を省エネルギーで実現する観点から好ましい。このような前記空調機における冷気の吹き出し量の制御は、例えば、空調ゾーンの温度を一定に保つように部屋のサーモスタットによって空調機の冷気の吹き出し量を自動的に制御するダンパ、又は空調機内に付設されるインバータをさらに設けることによって行うことができる。
【００２４】
前記吹き出し口は、前記空調機で調整された冷気を前記空調ゾーンにおけるある通気路に吹き出すための部材である。前記吹き出し口には、所定の大きさ及び形状の開口部やノズル等の公知の部材を、その他に空調機の空気吐出口をそのまま用いることができる。前記吹き出し口は、ある通気路の奥行き方向における如何なる位置に設けられていても良いが、前記一対の壁の一方の壁に設けられていることが、空調ゾーンを有効に活用する観点から好ましい。吹き出し口の設置数は特に限定されず、前記通気路の数、後述する気流形成装置によって形成される気流の形状、及び空調ゾーンの広さや幅等の条件に応じて決められる。
【００２５】
なお、本発明では、吹き出し口から冷気が吹き出される通気路を第一の通気路と呼び、この第一の通気路から冷気が流れ込む通気路を第二の通気路と呼び、第ｎ−１の通気路から冷気が流れ込む通気路を第ｎの通気路と呼ぶ。
【００２６】
前記吹き出し口と前記空調機とは、直接又はダクトを介して接続される。空調機で調整された冷気の温度の上昇を抑制する観点から、吹き出し口と空調機との接続距離は短い程好ましく、吹き出し口と空調機とが直接接続されることがより好ましい。
【００２７】
前記空調機が一方の壁側に設けられている場合では、他方の壁側の空調機及びそれに付随する設備を要せず、また他方の壁側に空調機を設ける場合に比べて、空調機の台数が半減される。したがって、前記吹き出し口は、前記一対の壁の一方に複数設けられていることが、空調ゾーンを有効に活用する観点、及び空調機の設置数及び空調機に係る電線や配管を削減する観点から好ましい。
【００２８】
また、前記空調機が一方の壁側に設けられている場合では、一台の空調機に二以上の吹き出し口を短い接続距離で接続することが可能である。したがって、前記吹き出し口が前記一対の壁の一方に複数設けられていることは、冷気の調整の省力化、ダクト設備費の削減の観点からも好ましい。
【００２９】
また、前記仕切りが前記製品の山や棚である場合では、その頂部においても適正な温度分布の実現が要求される。したがって、前記仕切りの頂部においても適正な温度分布を実現する観点から、前記吹き出し口は前記仕切りの頂部以上の高さの位置に設けられていることが好ましい。
【００３０】
前記吸い込み口は、前記吹き出し口に対応して設けられ、第ｎの通気路に形成された気流の空気を吸い込んで前記空調ゾーンから排出するための部材である。さらに好ましくは、前記吸い込み口は、吸い込んだ空気を前記空調機に供給するための部材である。前記吸い込み口には、前記吹き出し口と同様に、所定の大きさ及び形状の開口部や金網等の公知の部材を用いることができる。
【００３１】
前記吸い込み口を介して空調ゾーンから排出された空気は、空調ゾーンの設定温度程度の温度の空気であることから、吸い込み口と前記空調機とが、ダクトを介して又は直接接続されていることが、空調機における冷気の調整の省力化の観点から好ましい。
【００３２】
前記気流形成装置は、通気路に設けられ、設けられている通気路の空気を吸い込み、吸
い込んだ空気を設けられている通気路に所定の方向に向けて吹き出す装置である。前記気流形成装置には、例えば、特許第３３３９５２７号公報に記載の送風ユニット、特開平８−２１６４６号公報に記載の空調装置（なお両者は例えば日本フレクト株式会社から商品名「トップベント」として市販されている）、特公昭６０−５８３７３号公報に記載のエジェクタ、及び特開昭５４−６６５４２号公報に記載のディリベントユニット等の公知の装置を用いることができる。
【００３３】
前記気流形成装置は、前記一対の壁の一方あるいは他方の壁か、又は同一の通気路中に設けられる下流側の気流形成装置に向けて空気を吹き出す。したがって、前記気流形成装置は、水平方向においては通常は一対の壁の対向方向に沿って空気を吹き出し、垂直方向においては水平に空気を吹き出す。前記気流形成装置は、同一の通気路中に複数設ける場合には、下流側の気流形成装置に冷気を適切に吸い込まさせて、水平方向への一方向の気流の進行方向や形状を確保するために、個々の気流形成装置が気流を形成する受け持ちエリアにおいて適正な気流が形成されるように、前記対向方向や水平に対して適当な角度の所定の方向で空気を吹き出しても良い。
【００３４】
前記気流形成装置は、第一から第ｎの一連の通気路における気流の進行方向が、気流の上流側の通気路とこれに隣接する下流側の通気路の気流の向きが互いに反対となる気流進行方向となるように設けられる。すなわち、前記気流進行方向は、前記一対の壁の対向方向であって、第ｎ−１の通気路における気流の向きと第ｎの通気路における気流の向きとが反対になる方向である。前記気流形成装置の設置は、前記気流進行方向が成立し、適正な温度分布を実現するのに十分な風量の気流がいずれの通気路にも形成されれば特に限定されない。
【００３５】
前記適正な温度分布を実現するのに十分な風量は、種々の条件によって決められるが、例えば各通気路における風速の平均値として概ね０．２ｍ／ｓ以上であり、より好ましくは０．３ｍ／ｓ以上であり、さらに好ましくは０．５ｍ／ｓ以上である。
【００３６】
例えば、前記気流形成装置は、単数であっても良いし複数であっても良い。また、気流形成装置は、全ての通気路に設けられても良いし、第二以上の通気路等の所定の通気路のみに設けられても良い。また、気流形成装置は、一つの通気路において、単数設けられても良いし、複数設けられても良い。前記気流形成装置を複数設ける場合では、それぞれの気流形成装置の吹き出し風量は、同じであっても良いし異なっていても良い。前記気流形成装置の設置数、吹き出し方向、吹き出し風量、及び設置間隔は、気流形成装置の空気の吸い込み量、吹き出し距離、通気路の容積、空調ゾーンの設定温度、冷気の温度、及び複数の通気路で形成される一連の気流の形状等の条件に応じて決められる。
【００３７】
本発明の空調システムでは、第一から第ｎの一連の通気路において、前記吹き出し口を気流の始点とし、前記吸い込み口を気流の終点とし、前記気流形成装置によって前記気流進行方向を満足するように気流が形成される。前記吹き出し口とこれに対応する前記吸い込み口との間に形成される気流の形状は、気流が交差しない形状であれば特に限定されない。
【００３８】
前記吹き出し口及びこれに対応する前記吸い込み口の配置によっては、これらの間に形成される気流の垂直方向から見たときの形状を、様々な形状に形成することができる。
【００３９】
例えば、第一の通気路の一方の壁側に設けられる吹き出し口に対応して、第一又は第二の通気路における一方の壁側に吸い込み口が設けられると、第一及び第二の一連の通気路に循環気流を形成することができる。また、第一の通気路の一方の壁側に設けられる吹き出しに対応して、３以上の奇数の通気路における他方の壁側、又は４以上の偶数の通気路
における一方の壁側に吸い込み口が設けられると、第一から第ｎの一連の通気路に蛇行気流を形成することができる。
【００４０】
なお、複数の前記吹き出し口が一方の壁側に設けられる場合では、吹き出し口は、後述する気流形成装置によって形成される気流の進行方向及び気流の形状に応じた適当な間隔で設けられる。例えば、前記部屋の幅方向において、二つの吹き出し口から発する二つの気流の進行方向が同じ方向である場合では、これらの吹き出し口は、一以上の通気路を挟む間隔で設けられる。循環気流が形成される場合では、前記の二つの吹き出し口は一つの通気路を挟む間隔で設けられ、蛇行気流が形成される場合では、前記の二つの吹き出し口は二つ以上の通気路を挟む間隔で設けられる。
【００４１】
また、前記部屋の幅方向において、二つの吹き出し口から発する二つの気流の進行方向が互いに離間する向きの逆方向である場合では、これらの吹き出し口は隣接して設けられる。
【００４２】
また、前記部屋の幅方向において、二つの吹き出し口から発する二つの気流の進行方向が、互いに接近する向きの逆方向である場合では、これらの吹き出し口は、二つの気流形状が形成されるように、二以上の通気路を挟む間隔で設けられる。
【００４３】
前記吹き出し口からこれに対応する前記吸い込み口までの間に形成される気流の形状は、特に限定されず、空調機の設置数、空調機の能力、及び空調ゾーンの設定温度等の条件に応じて決められる。
【００４４】
本発明の空調システムは、冷蔵倉庫、冷凍倉庫、精肉工場等の、所定の温度以下の環境が形成される広い部屋に適用することができる。また、本発明の空調システムは、電子機器（コンピュータ）ラックを前記仕切りとするＩＤＣ（インターネットデータセンター）や、書棚を前記仕切りとする図書館等の、並列する複数の通路が形成される広い部屋にも適用することができる。
【発明の効果】
【００４５】
本発明の空調システムは、前記空調機と、前記吹き出し口と、前記気流形成装置と、前記吸い込み口とを有することから、水平方向における一方向に流れる循環気流又は蛇行気流が形成される。したがって、前記気流形成装置を有さない従来の空調システムに比べて、部屋の広さに対して天井の高さが相対的に低い広い部屋において、省コストで適正な温度分布を実現することができる。
【００４６】
本発明の空調システムは、前記吸い込み口が空調ゾーンから吸い込んだ空気を空調機に戻すための吸い込み口であると、供給空気の全量を、新規の外気を調整した冷気として吹き出し口から吹き出すオールフレッシュの空調システムに比べて、冷気の調整に係るランニングコストを削減する観点からより一層効果的である。
【００４７】
また、本発明の空調システムでは、前記一対の壁の一方の壁に設けられる複数の前記吹き出し口を有すると、前記空調機を部屋の一方の壁側のみに設けることによって、適正な温度分布が省コストで実現される。したがって、空調機の台数削減、配管工事量の削減等の空調機及びそれに伴う配管に係る工事費（イニシャルコスト）を削減する観点からより一層効果的である。
【００４８】
また、本発明の空調システムでは、前記吹き出し口は、前記仕切りの頂部以上の高さの位置に設けられていると、空調ゾーンにおいて適正な温度分布が省コストで実現される。したがって、製品の山や製品を収容する棚を仕切りとする冷蔵倉庫に適用する観点からよ
り一層効果的である。
【００４９】
また、本発明の空調システムは、前記空調機は、前記空調ゾーンの熱負荷の多少に応じて冷気の吹き出し量を増減させる装置であると、空調ゾーンの熱負荷が少ないときに空調機による冷気の吹き出し量を削減しながらも適正な温度分布が実現される。したがって、前記空調ゾーンの熱負荷の低負荷時には空調機からの冷気の風量をＶＡＶ（可変風量）制御によって削減して省エネルギーを図り、空調機による冷気の吹き出しに係るランニングコストを削減する観点からより一層効果的である。
【発明を実施するための最良の形態】
【００５０】
本発明を既設の冷蔵倉庫に適用する場合を例に、本発明をさらに説明する。
この冷蔵倉庫は、図１に示されるように、製品が収容される冷蔵庫１と、冷蔵庫１に隣接し冷蔵庫１に対して入出庫される製品が一時的に収容される冷蔵庫前室２と、冷蔵庫１及び冷蔵庫前室２に供給される冷熱を生成するための冷凍機機械室３及び屋外機器置き場４と、冷蔵庫前室２に対して製品の搬入出を行うフォークリフトを受け入れるためのフォークリフト乗り入れ室５とを有する。
【００５１】
冷凍機機械室３は、例えば冷熱を生成する複数台の冷凍機を有する。また、屋外機器置き場４は、例えば前記冷凍機において冷熱の生成に用いられる冷却水の温度を調整するための冷却塔を有する。
【００５２】
冷蔵庫１は、冷蔵庫前室２からの製品の搬入出方向を奥行き方向とし、この奥行き方向に直交する水平方向を幅方向としたときに、天井と、奥行き方向において対向する一対の壁と、幅方向において対向する一対の壁とによって形成されている。
【００５３】
冷蔵庫１には、図１及び図２に示されるように、冷蔵庫１の奥行き方向において対向する一対の壁の一端側及び他端側に、断面形状が矩形であり、冷蔵庫１の幅方向に延出する細長の通路を形成するチャンバ６、７がそれぞれ設けられている。チャンバ６、７は、ここでは断面形状における二辺が庫内に面して下がり天井を形成しており、通気用及び点検用通路となる。また冷蔵庫前室２の前記奥行き方向における一端側の壁にも通気路及び点検用通路となるチャンバ８が設けられている。チャンバ６〜８は、それぞれ壁及び天井に接するように壁の上端に設けられている。
【００５４】
チャンバ６、７には、図４に示されるような前記幅方向に沿って細長い矩形の吹き出し口９が１２個設けられており、前記幅方向に沿って細長い吸い込み口１０が１２個設けられている。同様に、チャンバ８にも、前記幅方向に沿って細長い矩形の吹き出し口９が１１個設けられており、前記幅方向に沿って細長い吸い込み口１０が１１個設けられている。
【００５５】
吹き出し口９は、チャンバ６〜８の内外を連通する開口部であり、チャンバ６〜８における冷蔵庫１又は冷蔵庫前室２に面する一側壁に設けられている。同様に、吸い込み口１０は、チャンバ６〜８の内外を連通する開口部であり、チャンバ６〜８における床に設けられている。
【００５６】
チャンバ６、７にはそれぞれ１２台の空調機としてのユニットクーラ１１が天吊り方式で設けられており、チャンバ８には１１台の同ユニットクーラ１１が設けられている。
【００５７】
ユニットクーラ１１は、図３に示されるように、矩形のケーシング１２と、ケーシング１２内に設けられる送風機１３及び熱交換器１４とを有する。ケーシング１２は、ケーシング１２の一側壁に開口する第一の開口部１５と、ケーシング１２の底に開口する第二の
開口部１６とを有する。
【００５８】
送風機１３は、ケーシング１２内の空気を吸い込み第一の開口部１５から吹き出すように設けられている。熱交換器１４は、第二の開口部１６からケーシング１２内に流入する空気の温度を調整するように設けられている。熱交換器１４は、管によって屋外機の圧縮機及び凝縮器に接続されている。すなわち、ユニットクーラ１１は、第二の開口部１６を介してチャンバ６〜８内の空気を吸い込んで、第一の開口部１５から空調ゾーンに吹き出す空調機である。
【００５９】
チャンバ７のユニットクーラ１１は、ケーシング１２における第一の開口部１５を有する壁が、前記奥行き方向におけるチャンバ７の一端側の壁に接し、ケーシング１２の天井がチャンバ７の天井に接するように設けられている。チャンバ６、８のユニットクーラ１１は、ケーシング１２における第一の開口部１５を有する壁が、前記奥行き方向におけるチャンバ６、８の他端側の壁に接し、ケーシング１２の天井がチャンバ６、８の天井に接するように設けられている。各ユニットクーラ１１における第一の開口部１５は、各吹き出し口９に直接接続されている。
【００６０】
前述した冷蔵倉庫に本発明の空調システムが適用される。本発明の空調システムを前述した冷蔵倉庫に適用したときの効果を明示するために、本実施の形態では、前記冷蔵倉庫における温度及び風量の分布を数値解析によって求め、その結果を示す。この数値解析では、パーソナルコンピュータ用に汎用されている三次元熱流体解析ソフト（商品名：Ｓｔｒｅａｍ、製造元：（株）ソフトウェアクレイドル）を使用して行われる。
【００６１】
前記数値解析では、冷蔵庫１の奥行き方向に沿って製品が複数の列状に並列に積み重ねられた状態の冷蔵庫１であって、冷蔵庫１の一部の領域である、図１に斜線で示す領域Ａを解析モデルとする。領域Ａは、空調ゾーンである冷蔵庫１を幅方向において６分割したうちの一つの領域であり、部屋の床面と天井面とを含み（ただしチャンバ６、７を除く）、幅方向においては柱三本分の広さを有し、幅方向における両端が開放されている領域である。図４に示されるように、奥行き方向の両端部のそれぞれに、二つの吹き出し口９と二つの吸い込み口１０とを有している。
【００６２】
領域Ａは、図４に示されるように、天井の高さが７ｍであり、奥行きは５５ｍであり、幅は２０ｍである。チャンバ６、７の奥行き方向の長さはそれぞれ５ｍである。領域Ａの床からチャンバ６の床までの高さは４．９ｍであり、領域Ａの床からチャンバ７の床までの高さは４．４ｍである。
【００６３】
領域Ａには、図４及び図５に示されるように、冷蔵庫１の奥行き方向において対向する一対の壁の間に、奥行き方向に沿って、高さが５．５ｍであり、幅が１．１５ｍ又は２．３ｍの５つの列状の製品の山１７〜２１が並列に設けられている。製品の山１７〜２１の奥行き方向の長さは４０ｍであり、製品の山１７〜２１の両端は、領域Ａの奥行き方向に対向する一対の壁からそれぞれ７．２５ｍ離間している。
【００６４】
製品の山１７及び２１は、図６に示される荷姿の製品を垂直方向に三段重ね、奥行き方向に３０個を一列に並べることによって形成されている。製品の山１８〜２０は、図６に示される荷姿の製品を垂直方向に三段重ね、奥行き方向に３０個を二列に並べることによって形成されている。前記製品は、パレットと製品本体と、製品本体を包むシュリンクとからなる。前記製品は、図６中の矢印で示されるフォークリフトの差し込み方向に沿った奥行きが１．１５ｍであり、前記差し込み方向に対する幅が１．３５ｍであり、高さが１．８４ｍであり、一個当たりの質量が０．６トンとされている。
【００６５】
領域Ａには、製品の山１７〜２１によって仕切られることにより、両端部において互いに連通しかつ互いに並列する四つの通路２２〜２５が形成されている。通路２２〜２５の幅、すなわち製品の山１７〜２１同士の間隔は、それぞれ２．７ｍである。このように、製品の山１７〜２１は、冷蔵庫１の床面から所定の高さ（但し天井面から離間している）まで気流を遮る区画面を形成している。もっとも、前記パレットの差し込み口のように、多少通路間を連通させる空隙があっても差し支えない。
【００６６】
＜第一のケース＞
本発明の空調システムに係る数値解析では、図７に示されるように、気流形成装置２６が通路２２〜２５の天井に三個ずつさらに設けられる。気流形成装置２６は、気流形成装置２６が設けられている通気路の空気を吸い込み、吸い込んだ空気をその通気路に所定の一方向に向けて高速で吹き出す装置である。気流形成装置２６で吹き出された高速気流は、この高速気流の周囲の空気を誘引しながら遠方に搬送される。このような気流形成装置２６としては、例えばトップベント（日本フレクト株式会社の登録商標）が用いられる。
【００６７】
トップベントは、例えば特許第３３３９５２７号公報に示されているように、矩形のケーシングと、前記ケーシングの一側面に設けられるノズルと、前記ケーシングの前記一側面に対向する面に設けられる気流吸い込み口と、前記ケーシングに収容され前記気流吸い込み口からケーシング外の空気を吸い込み前記ノズルに向けて送風するファンユニットとを有する。
【００６８】
気流形成装置２６は、互いに並列な二台のトップベントのセットによって構成されている。気流形成装置２６は、各通路２２〜２５において、チャンバ６から奥行き方向において１５ｍ、３０ｍ及び４５ｍの三箇所に、すなわち１５ｍ間隔で設けられている。また、気流形成装置２６は、前記ノズルの中心が６．５ｍの高さの位置となる高さに設けられている。各通路の奥行き方向における気流形成装置２６の位置は、トップベントの吸い込み風量、ノズルの吹き出し到達距離、ノズルの誘引風量、領域Ａや通路の空気の容積等の条件より算出して求めることができる。また、前述した三次元熱流体解析ソフトにおいて、条件設定を種々に変えたときの解析結果から好適な結果が得られる位置を探し出すことによって求めることができる。
【００６９】
また、トップベントのノズルを前方としたときに、気流形成装置２６は、図７中の矢印で示されるように、通路２３、２４では領域Ａの他端側を前方とする向き（すなわち吹き出し口９を後方とする向き）に設けられており、通路２２、２５では領域Ａの一端側（すなわち吹き出し口９及び吸い込み口１０側）を前方とする向きに設けられている。すなわち気流形成装置２６は、隣り合う通路２３と２２及び２４と２５では形成される気流の向きが反対になるように設けられている。
【００７０】
図７に示されるように、領域Ａにおいて、一端側すなわちチャンバ６のユニットクーラ１１のみを稼働させ、他端側すなわちチャンバ７のユニットクーラ１１、吹き出し口９及び吸い込み口１０を用いず、チャンバ６の吹き出し口９から冷気を吹き出し、トップベントによってそれぞれの通路において一方向の冷気の気流を形成し、チャンバ６の吸い込み口１０から領域Ａの空気を吸い込む循環気流を形成したときの風量及び温度の分布を、前述した三次元熱流体解析ソフトを用いて求めた。
【００７１】
なお、気流形成装置２６の前記ノズルの水平方向における向きは、前記奥行き方向とし、前記ノズルの垂直方向における向きは、２５°下方とした。また、前記ノズルの口径は１４０ｍｍとした。また、チャンバ６の吹き出し口９及び吸い込み口１０の大きさは、５００ｍｍ×４，０００ｍｍとした。また、チャンバ６の二つの吹き出し口９の間隔は６，０００ｍｍとして二つの吹き出し口９の位置を領域Ａの中央に寄った位置とした。また、
幅方向における同様の位置（奥行き方向においては吹き出し口９よりも一端側で高さ方向においては吹き出し口９よりも低いチャンバ６の底面）に二つの吸い込み口１０を配置した。また、それぞれの吹き出し口９から吹き出される冷気の温度は−４℃とし、冷気の吹き出し量は風速で５ｍ／ｓとした。また、トップベントの送風量は風速で１３．５ｍ／ｓとした。
【００７２】
求められた風速の分布を図８〜図１１に、求められた温度の分布を図１２〜図１５にそれぞれ示す。なお、図８〜図１１中の数値は風速（ｍ／ｓ）を表し、図１２〜図１５中の数値は温度（℃）を表す。
【００７３】
通路２３において他端側の壁にぶつかった冷気は、通路２２における最も他端側のトップベントによって通路２２における一端側の壁に向けて誘引される。このようにして通路２３と通路２２とを循環する気流が形成されている。同様に、通路２４において他端側の壁にぶつかった冷気は、通路２５における最も他端側のトップベントによって通路２５における一端側の壁に向けて誘引される。このようにして通路２４と通路２５とを循環する気流が形成されている。
【００７４】
図８から明らかなように、床から６．５ｍの高さでは、通路２３及び２４において２．０ｍ／ｓ以上の強い気流が形成されており、図９から明らかなように、床から１．５ｍの高さでは、通路２２及び２５において概ね１．０ｍ／ｓ以上の気流が形成されている。また、図１０から明らかなように、通路２３では２．０ｍ／ｓ以上の強い気流が天井付近に形成されており、図１１から明らかなように、通路２２では概ね１．４ｍ／ｓ以上の気流が形成されている。以上より、通路２２及び２３と２４及び２５のそれぞれにおいて力強い循環気流が形成されており、また、通路２２及び２５のそれぞれにおいて０．５ｍ／ｓ以上の十分な速度の気流が形成されていることがわかる。
【００７５】
また図１２及び図１３から明らかなように、床から６．５ｍの高さ及び１．５ｍの高さのいずれにおいても、領域Ａの温度は概ね５℃以下である。また、図１４及び図１５から明らかなように、通路２３及び２２のいずれの温度も概ね５℃以下である。以上より、チャンバ６側からのみの冷気の吹き出しによって、領域Ａでは良好な温度分布が形成されていることがわかる。
【００７６】
以上より、本ケースの空調システムは、領域Ａの天井及び一対の壁のそれぞれに対して離間して設けられる製品の山１７〜２１によって、両端部において互いに連通しかつ互いに並列する通路２２、２３及び２４、２５によって二組の第一及び第二の通気路が形成される領域Ａを冷やすための空調システムにおいて、領域Ａに供給される冷気を調整するための空調機であるユニットクーラ１１と、ユニットクーラ１１で調整された冷気を通路２３及び２４に吹き出すための、チャンバ６における二つの吹き出し口９と、吹き出し口９に対応して通路２２及び２５の端部に設けられ、通路２２及び２５に形成された気流の空気を吸い込んで領域Ａから排出するための二つの吸い込み口１０と、通路２２〜２５のそれぞれに三体ずつ設けられ、通路２３から通路２２へ、及び通路２４から通路２５のそれぞれに所定の気流進行方向である循環方向の気流を形成するための気流形成装置２６とを有し、気流形成装置２６は、気流形成装置２６が設けられている通路の空気を吸い込み、吸い込んだ空気を同じ通路に所定の方向に向けて吹き出す装置であり、前記気流進行方向は、通路２３と２２、及び２４と２５とが反対になる方向である。このため、通路２２及び２３と２４及び２５とに循環気流を形成し、領域Ａにおいて適正な温度分布を形成することができる。したがって、チャンバ６及び７の両方のユニットクーラ１１を用いて両方のチャンバから冷気を吹き出す空調システムに比べて、省エネルギーで適正な温度分布を実現することができる。
【００７７】
また、本ケースでは、領域Ａの奥行き方向における一端側のチャンバ６に設けられた二つの吹き出し口９のみから冷気を吹き出すことから、他端側のチャンバ７中のユニットクーラ１１を用いなくても、領域Ａに適正な温度分布を形成することができる。したがって、チャンバ７、チャンバ７中のユニットクーラ１１及びそれに伴う配管の設置、及びチャンバ７中のユニットクーラ１１の運転に係るコストを削減することができる。
【００７８】
また、本ケースでは、吹き出し口９は製品の山１７〜２１の頂部以上の高さの位置に設けられていることから、製品の山１７〜２１を適正な温度分布が形成されている空間に収めることができる。
【００７９】
また、本ケースでは、二つの吹き出し口９が領域Ａの幅方向における中央に寄った位置に設けられていることから、通路２２及び２３と通路２４及び２５とのそれぞれに循環気流を円滑に形成することができる。
【００８０】
＜第二のケース＞
チャンバ６の二つの吹き出し口９からの冷気の吹き出し量を風速でそれぞれ１．７ｍ／ｓとした以外は、第一のケースと同様の条件で、領域Ａにおける風速及び温度の分布を、前述した三次元熱流体解析ソフトを用いて求めた。求められた風速の分布を図１６〜図１９に、求められた温度の分布を図２０〜図２３にそれぞれ示す。なお、図１６〜図１９中の数値は風速（ｍ／ｓ）を表し、図２０〜図２３中の数値は温度（℃）を表す。
【００８１】
図１６から明らかなように、床から６．５ｍの高さでは、通路２２〜２５において０．４〜１．５ｍ／ｓ程度の気流が形成されており、図１７から明らかなように、床から１．５ｍの高さでは、通路２２〜２５において０．２〜０．８ｍ／ｓ程度の気流が形成されている。また、図１８及び図１９から明らかなように、通路２２及び２３の両方において２．０ｍ／ｓ以上の強い気流が天井付近に形成されており、通路２２及び２３の両方において０．２〜２．０ｍ／ｓ程度の気流が形成されている。以上より、通路２２及び２３と２４及び２５のそれぞれにおいて循環気流が形成されており、また、通路２２及び２５のそれぞれにおいて０．５ｍ／ｓ以上の十分な速度の気流が形成されていることがわかる。
【００８２】
また図２０及び図２１から明らかなように、床から６．５ｍの高さ及び１．５ｍの高さのいずれにおいても、領域Ａの温度は概ね５℃以下である。また、図２２及び図２３から明らかなように、通路２３及び２２のいずれの温度も概ね５℃以下である。以上より、チャンバ６側からのみの冷気の吹き出しによって、領域Ａでは良好な温度分布が形成されていることがわかる。
【００８３】
本ケースでは、第一のケースに比べて、ユニットクーラ１１からの１／３の冷気の風量で領域Ａに適正な温度分布を形成することができる。したがって、領域Ａにおける熱負荷が低減した場合に、これに応じてユニットクーラ１１からの冷気の風量をさらに削減することができ、空調システムのランニングコストをより一層削減することができる。
【００８４】
＜第三のケース＞
気流形成装置２６を設けず、チャンバ６及び７に設けられている吹き出し口９間の距離及び吸い込み口１０間の距離をそれぞれ６，０００ｍｍとし（すなわち図４に示される領域Ａにおいて）、チャンバ６及び７の四つの吹き出し口９から冷気を吹き出す以外は、第一のケースと同様の条件で、領域Ａにおける風速及び温度の分布を、前述した三次元熱流体解析ソフトを用いて求めた。求められた風速の分布を図２４〜図２７に、求められた温度の分布を図２８〜図３１にそれぞれ示す。また、通路２３及び２２に形成される気流の形状を図３２及び図３３に示す。なお、図２４〜図２７中の数値は風速（ｍ／ｓ）を表し、図２８〜図３１中の数値は温度（℃）を表す。
【００８５】
図２４から明らかなように、床から６．５ｍの高さでは、通路２２〜２５において０．６〜２．０ｍ／ｓ程度の気流が形成されており、図２５から明らかなように、床から１．５ｍの高さでは、通路２２〜２５において０．２〜０．８ｍ／ｓ程度の気流が形成されている。また、図２６及び図２７から明らかなように、通路２３においては０．２〜１．０ｍ／ｓ程度の気流が形成されており、通路２２においては０．２〜１．５ｍ／ｓ程度の気流が形成されている。以上より、通路２２及び２３と２４及び２５のそれぞれでは、互いに対向する十分な速度の気流が形成されており、これらの対向する気流は、互いに避けるように偏向して流れ、一部で干渉していることがわかる。
【００８６】
また図２８及び図２９から明らかなように、床から６．５ｍの高さ及び１．５ｍの高さのいずれにおいても、領域Ａの温度は概ね５℃以下である。また、図３０及び図３１から明らかなように、通路２３及び２２のいずれの温度も概ね５℃以下である。以上より、吹き出し口９の近傍でやや低温となりその遠方でやや高温となる傾向があるが、前記対向する気流によって、領域Ａでは良好な温度分布が形成されていることがわかる。
【００８７】
また図３２及び図３３から明らかなように、吹き出し口９から吹き出した冷気は、通路の奥行き方向における中央部で急激に下降し、一部が床面に沿って前方に流れ、残りは床面で反転して逆流する気流を形成している。また、下降後の気流は共に同一通路内の垂直方向において循環する気流を形成し、最終的には対向する位置の吸い込み口１０に吸い込まれる。以上より、本ケースでは、同一通路内の垂直方向において対向する向きに流れる対向流が形成されていることがわかる。
【００８８】
＜第四のケース＞
図３４に示されるように、気流形成装置２６を設けず、チャンバ６に設けられている吹き出し口９間の距離及び吸い込み口１０間の距離をそれぞれ１，０００ｍｍとし、チャンバ７に設けられている吹き出し口９間の距離及び吸い込み口１０間の距離をそれぞれ１１，０００ｍｍとし、チャンバ６及び７の四つの吹き出し口９から冷気を吹き出す以外は、第一のケースと同様の条件で、領域Ａにおける風速及び温度の分布を、前述した三次元熱流体解析ソフトを用いて求めた。求められた風速の分布を図３５〜図３８に、求められた温度の分布を図３９〜図４２にそれぞれ示す。また、通路２３及び２２に形成される気流の形状を図４３及び図４４に示す。なお、図３５〜図３８中の数値は風速（ｍ／ｓ）を表し、図３９〜図４２中の数値は温度（℃）を表す。
【００８９】
図３５から明らかなように、床から６．５ｍの高さでは、通路２２〜２５において０．４〜２．０ｍ／ｓ程度の気流が形成されており、図３６から明らかなように、床から１．５ｍの高さでは、通路２２〜２５において０．２〜０．８ｍ／ｓ程度の気流が形成されている。また、図３７及び図３８から明らかなように、通路２２及び２３の両方において０．２〜１．５ｍ／ｓ程度の気流が形成されている。以上より、通路２２及び２３と２４及び２５のそれぞれでは、互いに対向する気流が形成されており、これらの対向する気流は、第三のケースに比べて滑らかに流れ、さらに領域Ａの下部の空間において気流が加速することがわかる。
【００９０】
また図３９及び図４０から明らかなように、床から６．５ｍの高さ及び１．５ｍの高さのいずれにおいても、領域Ａの温度は概ね５℃以下である。また、図４１及び図４２から明らかなように、通路２３及び２２のいずれの温度も概ね５℃以下である。以上より、前記対向する気流によって、領域Ａでは良好な温度分布が形成されていることがわかる。
【００９１】
また図４３及び図４４から明らかなように、吹き出し口９から吹き出した冷気は、通路の垂直方向の全域で吹き出し方向に向かって流れ、対向する壁に到達した後には隣り合う
通路に流れ込む。以上より、本ケースでは、平面的な循環気流が形成されていることがわかる。
【００９２】
＜第五のケース＞
図４５に示されるように、気流形成装置２６を設けず、チャンバ６に設けられている吹き出し口９間の距離及び吸い込み口１０間の大きさを２５０ｍｍ×８，０００ｍｍとした以外は、第一のケースと同様の条件で、領域Ａにおける風速及び温度の分布を、前述した三次元熱流体解析ソフトを用いて求めた。求められた風速の分布を図４６〜図４９に、求められた温度の分布を図５０〜図５３にそれぞれ示す。なお、図４６〜図４９中の数値は風速（ｍ／ｓ）を表し、図５０〜図５３中の数値は温度（℃）を表す。
【００９３】
図４６から明らかなように、床から６．５ｍの高さでは、通路２２〜２５において０．２〜２．０ｍ／ｓ程度の気流が形成されており、図４７から明らかなように、床から１．５ｍの高さでは、通路２２〜２５において０．２〜０．８ｍ／ｓ程度の気流が形成されている。また、図４８及び図４９から明らかなように、通路２２及び２３の両方において０．２〜２．０ｍ／ｓ程度の気流が形成されている。以上より、通路２２〜２５のそれぞれでは、領域Ａの一端から他端に向けて一方向に進行する気流が形成されており、この気流は、吹き出し口９から吹き出した直後に急激に失速し、下降することがわかる。
【００９４】
また図５０及び図５１から明らかなように、床から６．５ｍの高さ及び１．５ｍの高さのいずれにおいても、領域Ａの温度は−２℃〜９℃程度の幅広い範囲にある。また、図５２から明らかなように、通路２３の温度は−２℃〜８℃程度の幅広い範囲にあり、図５３から明らかなように、通路２２の温度は−２℃〜９℃程度の幅広い範囲にある。以上より、前記一方向に進行する気流によって、領域Ａでは、吹き出し口９の近傍では低温であり、遠方で高温となる温度分布が形成されていることがわかる。
【００９５】
＜第六のケース＞
図５４に示されるように、気流形成装置２６を設けない以外は、第一のケースと同様の条件で、領域Ａにおける風速及び温度の分布を、前述した三次元熱流体解析ソフトを用いて求めた。求められた風速の分布を図５５〜図５８に、求められた温度の分布を図５９〜図６２にそれぞれ示す。なお、図５５〜図５８中の数値は風速（ｍ／ｓ）を表し、図５９〜図６２中の数値は温度（℃）を表す。
【００９６】
図５５から明らかなように、床から６．５ｍの高さでは、通路２２〜２５において０．２〜２．０ｍ／ｓ程度の気流が形成されており、図５６から明らかなように、床から１．５ｍの高さでは、通路２２〜２５において０．２〜０．８ｍ／ｓ程度の気流が形成されている。また、図５７及び図５８から明らかなように、通路２３においては０．２〜２．０ｍ／ｓ程度の気流が形成されており、通路２２においては０．２〜０．６ｍ／ｓ程度の気流が形成されている。以上より、全ての通路に一端から他端への一方向の気流が形成されていることがわかる。
【００９７】
また図５９及び図６０から明らかなように、床から６．５ｍの高さ及び１．５ｍの高さのいずれにおいても、領域Ａの温度は概ね５℃ではあるが、６℃以下の領域も存在する。また、図６１及び６２から明らかなように、通路２３及び２２の温度も概ね５℃ではあるが、６℃以下の領域も存在する。以上より、本ケースでは、第五のケースに比べて温度分布は良好となるが、吹き出し口９を領域Ａの幅方向における中央部に寄せたため、吹き出し口９の近傍では低温であり、遠方で高温となる温度分布が形成されていることがわかる。
【００９８】
＜第七のケース＞
チャンバ６の二つの吹き出し口９からの冷気の吹き出し量をそれぞれ１．７ｍ／ｓとした以外は、第六のケースと同様の条件で、領域Ａにおける風速及び温度の分布を、前述した三次元熱流体解析ソフトを用いて求めた。求められた風速の分布を図６３〜図６６に、求められた温度の分布を図６７〜図７０にそれぞれ示す。なお、図６３〜図６６中の数値は風速（ｍ／ｓ）を表し、図６７〜図７０中の数値は温度（℃）を表す。
【００９９】
図６３から明らかなように、床から６．５ｍの高さでは、通路２２〜２５において０．２〜０．８ｍ／ｓ程度の気流が形成されており、図６４から明らかなように、床から１．５ｍの高さでは、通路２２〜２５において０．２〜０．６ｍ／ｓ程度の気流が形成されている。また、図６５から明らかなように、通路２３において０．２〜０．８ｍ／ｓ程度の気流が形成されており、図６６から明らかなように、通路２２において０．２〜０．４ｍ／ｓ程度の気流が形成されている。以上より、通路２２〜２５では、吹き出し口９から領域Ａの一端から他端に向けて拡散する緩やかな気流が形成されていることがわかる。
【０１００】
また図６７から明らかなように、床から６．５ｍの高さにおける領域Ａの温度は−２〜８℃程度の範囲にある。また、図６８から明らかなように、床から１．５ｍの高さにおける領域Ａの温度は概ね５℃であるが７℃程度の領域も存在する。また、図６９及び７０から明らかなように、通路２３及び２２の温度はともに概ね５〜８℃である。以上より、本ケースでは、吹き出し口９の近傍では低温であり、遠方で高温となる温度分布が形成されていることがわかる。
【０１０１】
なお、前述した各ケースでは、領域Ａの一端と他端との間を循環する気流が形成されるケースを示した。本発明に係るさらなるケースとしては、図７１に示されるように、通路２２及び２４には領域Ａの他端側に向けて気流形成装置２６を設け、通路２３及び２５には領域Ａの一端側に向けて気流形成装置２６を設けるケースが挙げられる。
【０１０２】
このケースによれば、通路２２〜２６を通って領域Ａを幅方向に向けて蛇行する気流を形成することが可能である。このケースでは、上流側の気流形成装置２６の吹き出し風量に対して下流側の気流形成装置２６の吹き出し風量を若干大きくする等、各通路ごとに気流形成装置２６の吹き出し風量を必要に応じて調整しても良い。このような構成によれば、第一及び第二のケースに比べてユニットクーラ１１の設置数を半減させることができ、かつ冷気の調整に係るランニングコストをさらに削減することが可能である。
【図面の簡単な説明】
【０１０３】
【図１】本発明の一実施の形態の空調システムが適用される冷蔵倉庫の構成を概略的に示す図である。
【図２】図１に示す冷蔵倉庫を線Ｂ−Ｂ’で切断したときの断面を示す図である。
【図３】本実施の形態で用いられるユニットクーラの構成を概略的に示す図である。
【図４】図１及び図２に斜線で示した領域Ａの構成を示す図である。
【図５】図４に示す領域Ａにおいてチャンバ６から奥行き方向に沿って見た領域Ａを示す図である。
【図６】領域Ａに収容され積まれる製品を示す図である。
【図７】第一のケースの領域Ａの構造を示す図である。
【図８】第一のケースの数値解析で求められた、領域Ａにおける床から６．５ｍの高さでの水平方向における風速の分布を示す図である。
【図９】第一のケースの数値解析で求められた、領域Ａにおける床から１．５ｍの高さでの水平方向における風速の分布を示す図である。
【図１０】第一のケースの数値解析で求められた、領域Ａにおける通路２３の奥行き方向に沿った垂直方向における風速の分布を示す図である。
【図１１】第一のケースの数値解析で求められた、領域Ａにおける通路２２の奥行き方向に沿った垂直方向における風速の分布を示す図である。
【図１２】第一のケースの数値解析で求められた、領域Ａにおける床から６．５ｍの高さでの水平方向における温度の分布を示す図である。
【図１３】第一のケースの数値解析で求められた、領域Ａにおける床から１．５ｍの高さでの水平方向における温度の分布を示す図である。
【図１４】第一のケースの数値解析で求められた、領域Ａにおける通路２３の奥行き方向に沿った垂直方向における温度の分布を示す図である。
【図１５】第一のケースの数値解析で求められた、領域Ａにおける通路２２の奥行き方向に沿った垂直方向における温度の分布を示す図である。
【図１６】第二のケースの数値解析で求められた、領域Ａにおける床から６．５ｍの高さでの水平方向における風速の分布を示す図である。
【図１７】第二のケースの数値解析で求められた、領域Ａにおける床から１．５ｍの高さでの水平方向における風速の分布を示す図である。
【図１８】第二のケースの数値解析で求められた、領域Ａにおける通路２３の奥行き方向に沿った垂直方向における風速の分布を示す図である。
【図１９】第二のケースの数値解析で求められた、領域Ａにおける通路２２の奥行き方向に沿った垂直方向における風速の分布を示す図である。
【図２０】第二のケースの数値解析で求められた、領域Ａにおける床から６．５ｍの高さでの水平方向における温度の分布を示す図である。
【図２１】第二のケースの数値解析で求められた、領域Ａにおける床から１．５ｍの高さでの水平方向における温度の分布を示す図である。
【図２２】第二のケースの数値解析で求められた、領域Ａにおける通路２３の奥行き方向に沿った垂直方向における温度の分布を示す図である。
【図２３】第二のケースの数値解析で求められた、領域Ａにおける通路２２の奥行き方向に沿った垂直方向における温度の分布を示す図である。
【図２４】第三のケースの数値解析で求められた、領域Ａにおける床から６．５ｍの高さでの水平方向における風速の分布を示す図である。
【図２５】第三のケースの数値解析で求められた、領域Ａにおける床から１．５ｍの高さでの水平方向における風速の分布を示す図である。
【図２６】第三のケースの数値解析で求められた、領域Ａにおける通路２３の奥行き方向に沿った垂直方向における風速の分布を示す図である。
【図２７】第三のケースの数値解析で求められた、領域Ａにおける通路２２の奥行き方向に沿った垂直方向における風速の分布を示す図である。
【図２８】第三のケースの数値解析で求められた、領域Ａにおける床から６．５ｍの高さでの水平方向における温度の分布を示す図である。
【図２９】第三のケースの数値解析で求められた、領域Ａにおける床から１．５ｍの高さでの水平方向における温度の分布を示す図である。
【図３０】第三のケースの数値解析で求められた、領域Ａにおける通路２３の奥行き方向に沿った垂直方向における温度の分布を示す図である。
【図３１】第三のケースの数値解析で求められた、領域Ａにおける通路２２の奥行き方向に沿った垂直方向における温度の分布を示す図である。
【図３２】第三のケースの数値解析で求められた、領域Ａの通路２３に形成された気流の形状を示す図である。
【図３３】第三のケースの数値解析で求められた、領域Ａの通路２２に形成された気流の形状を示す図である。
【図３４】第四のケースの領域Ａの構造を示す図である。
【図３５】第四のケースの数値解析で求められた、領域Ａにおける床から６．５ｍの高さでの水平方向における風速の分布を示す図である。
【図３６】第四のケースの数値解析で求められた、領域Ａにおける床から１．５ｍの高さでの水平方向における風速の分布を示す図である。
【図３７】第四のケースの数値解析で求められた、領域Ａにおける通路２３の奥行き方向に沿った垂直方向における風速の分布を示す図である。
【図３８】第四のケースの数値解析で求められた、領域Ａにおける通路２２の奥行き方向に沿った垂直方向における風速の分布を示す図である。
【図３９】第四のケースの数値解析で求められた、領域Ａにおける床から６．５ｍの高さでの水平方向における温度の分布を示す図である。
【図４０】第四のケースの数値解析で求められた、領域Ａにおける床から１．５ｍの高さでの水平方向における温度の分布を示す図である。
【図４１】第四のケースの数値解析で求められた、領域Ａにおける通路２３の奥行き方向に沿った垂直方向における温度の分布を示す図である。
【図４２】第四のケースの数値解析で求められた、領域Ａにおける通路２２の奥行き方向に沿った垂直方向における温度の分布を示す図である。
【図４３】第四のケースの数値解析で求められた、領域Ａの通路２３に形成された気流の形状を示す図である。
【図４４】第四のケースの数値解析で求められた、領域Ａの通路２２に形成された気流の形状を示す図である。
【図４５】第五のケースの領域Ａの構造を示す図である。
【図４６】第五のケースの数値解析で求められた、領域Ａにおける床から６．５ｍの高さでの水平方向における風速の分布を示す図である。
【図４７】第五のケースの数値解析で求められた、領域Ａにおける床から１．５ｍの高さでの水平方向における風速の分布を示す図である。
【図４８】第五のケースの数値解析で求められた、領域Ａにおける通路２３の奥行き方向に沿った垂直方向における風速の分布を示す図である。
【図４９】第五のケースの数値解析で求められた、領域Ａにおける通路２２の奥行き方向に沿った垂直方向における風速の分布を示す図である。
【図５０】第五のケースの数値解析で求められた、領域Ａにおける床から６．５ｍの高さでの水平方向における温度の分布を示す図である。
【図５１】第五のケースの数値解析で求められた、領域Ａにおける床から１．５ｍの高さでの水平方向における温度の分布を示す図である。
【図５２】第五のケースの数値解析で求められた、領域Ａにおける通路２３の奥行き方向に沿った垂直方向における温度の分布を示す図である。
【図５３】第五のケースの数値解析で求められた、領域Ａにおける通路２２の奥行き方向に沿った垂直方向における温度の分布を示す図である。
【図５４】第六のケースの領域Ａの構造を示す図である。
【図５５】第六のケースの数値解析で求められた、領域Ａにおける床から６．５ｍの高さでの水平方向における風速の分布を示す図である。
【図５６】第六のケースの数値解析で求められた、領域Ａにおける床から１．５ｍの高さでの水平方向における風速の分布を示す図である。
【図５７】第六のケースの数値解析で求められた、領域Ａにおける通路２３の奥行き方向に沿った垂直方向における風速の分布を示す図である。
【図５８】第六のケースの数値解析で求められた、領域Ａにおける通路２２の奥行き方向に沿った垂直方向における風速の分布を示す図である。
【図５９】第六のケースの数値解析で求められた、領域Ａにおける床から６．５ｍの高さでの水平方向における温度の分布を示す図である。
【図６０】第六のケースの数値解析で求められた、領域Ａにおける床から１．５ｍの高さでの水平方向における温度の分布を示す図である。
【図６１】第六のケースの数値解析で求められた、領域Ａにおける通路２３の奥行き方向に沿った垂直方向における温度の分布を示す図である。
【図６２】第六のケースの数値解析で求められた、領域Ａにおける通路２２の奥行き方向に沿った垂直方向における温度の分布を示す図である。
【図６３】第七のケースの数値解析で求められた、領域Ａにおける床から６．５ｍの高さでの水平方向における風速の分布を示す図である。
【図６４】第七のケースの数値解析で求められた、領域Ａにおける床から１．５ｍの高さでの水平方向における風速の分布を示す図である。
【図６５】第七のケースの数値解析で求められた、領域Ａにおける通路２３の奥行き方向に沿った垂直方向における風速の分布を示す図である。
【図６６】第七のケースの数値解析で求められた、領域Ａにおける通路２２の奥行き方向に沿った垂直方向における風速の分布を示す図である。
【図６７】第七のケースの数値解析で求められた、領域Ａにおける床から６．５ｍの高さでの水平方向における温度の分布を示す図である。
【図６８】第七のケースの数値解析で求められた、領域Ａにおける床から１．５ｍの高さでの水平方向における温度の分布を示す図である。
【図６９】第七のケースの数値解析で求められた、領域Ａにおける通路２３の奥行き方向に沿った垂直方向における温度の分布を示す図である。
【図７０】第七のケースの数値解析で求められた、領域Ａにおける通路２２の奥行き方向に沿った垂直方向における温度の分布を示す図である。
【図７１】本発明の他の実施の形態における領域Ａを示す図である。
【符号の説明】
【０１０４】
１  冷蔵庫
２  冷蔵庫前室
３  冷凍機機械室
４  屋外機器置き場
５  フォークリフト乗り入れ室
６〜８  チャンバ
９  吹き出し口
１０  吸い込み口
１１  ユニットクーラ
１２  ケーシング
１３  送風機
１４  熱交換器
１５  第一の開口部
１６  第二の開口部
１７〜２１  製品の山
２２〜２５  通路
２６  気流形成装置
【図１】
2007017130.tif 000003
【図２】
2007017130.tif 000004
【図３】
2007017130.tif 000005
【図４】
2007017130.tif 000006
【図５】
2007017130.tif 000007
【図６】
2007017130.tif 000008
【図７】
2007017130.tif 000009
【図８】
2007017130.tif 000010
【図９】
2007017130.tif 000011
【図１０】
2007017130.tif 000012
【図１１】
2007017130.tif 000013
【図１２】
2007017130.tif 000014
【図１３】
2007017130.tif 000015
【図１４】
2007017130.tif 000016
【図１５】
2007017130.tif 000017
【図１６】
2007017130.tif 000018
【図１７】
2007017130.tif 000019
【図１８】
2007017130.tif 000020
【図１９】
2007017130.tif 000021
【図２０】
2007017130.tif 000022
【図２１】
2007017130.tif 000023
【図２２】
2007017130.tif 000024
【図２３】
2007017130.tif 000025
【図２４】
2007017130.tif 000026
【図２５】
2007017130.tif 000027
【図２６】
2007017130.tif 000028
【図２７】
2007017130.tif 000029
【図２８】
2007017130.tif 000030
【図２９】
2007017130.tif 000031
【図３０】
2007017130.tif 000032
【図３１】
2007017130.tif 000033
【図３２】
2007017130.tif 000034
【図３３】
2007017130.tif 000035
【図３４】
2007017130.tif 000036
【図３５】
2007017130.tif 000037
【図３６】
2007017130.tif 000038
【図３７】
2007017130.tif 000039
【図３８】
2007017130.tif 000040
【図３９】
2007017130.tif 000041
【図４０】
2007017130.tif 000042
【図４１】
2007017130.tif 000043
【図４２】
2007017130.tif 000044
【図４３】
2007017130.tif 000045
【図４４】
2007017130.tif 000046
【図４５】
2007017130.tif 000047
【図４６】
2007017130.tif 000048
【図４７】
2007017130.tif 000049
【図４８】
2007017130.tif 000050
【図４９】
2007017130.tif 000051
【図５０】
2007017130.tif 000052
【図５１】
2007017130.tif 000053
【図５２】
2007017130.tif 000054
【図５３】
2007017130.tif 000055
【図５４】
2007017130.tif 000056
【図５５】
2007017130.tif 000057
【図５６】
2007017130.tif 000058
【図５７】
2007017130.tif 000059
【図５８】
2007017130.tif 000060
【図５９】
2007017130.tif 000061
【図６０】
2007017130.tif 000062
【図６１】
2007017130.tif 000063
【図６２】
2007017130.tif 000064
【図６３】
2007017130.tif 000065
【図６４】
2007017130.tif 000066
【図６５】
2007017130.tif 000067
【図６６】
2007017130.tif 000068
【図６７】
2007017130.tif 000069
【図６８】
2007017130.tif 000070
【図６９】
2007017130.tif 000071
【図７０】
2007017130.tif 000072
【図７１】
2007017130.tif 000073